(57)【要約】【課題】  ピースを選別して組み立て作業を容易とし、且つ作成途中のジグソーパズルの保管を小スペース化することができるジグソーパズル用額縁を提供する。【解決手段】  本体部１と引出し部２と透明板３とで構成され、本体部１は、ジグソーパズルを組み立てるための方形状の基板１１と該基板１１の外周のうち少なくとも１辺に一体形成される固定枠部１６とで形成され、引出し部２は、基板１１の裏面に挿入配置される挿入板２３と、該挿入板２３の外周のうち１辺に設けられる可動枠部２１と、残りの辺に設けられる側板２４とにより上面を開口して一体形成され、透明板３は、基板１１と略同大に形成され、前記固定枠部１６の端部と前記可動枠部２１の端部をそれぞれ接続して前記透明板３の周囲を固定することを特徴とするジグソーパズル用額縁とする。【選択図】図１
2007159743.tif 000002
【特許請求の範囲】
【請求項１】
本体部と引出し部と透明板とで構成され、
本体部は、ジグソーパズルを組み立てるための方形状の基板と該基板の外周のうち少なくとも１辺に一体形成される固定枠部とで形成され、
引出し部は、基板の裏面に挿入配置される挿入板と、該挿入板の外周のうち１辺に設けられる可動枠部と、残りの辺に設けられる側板とにより上面を開口して一体形成され、
透明板は、基板と略同大に形成され、
前記固定枠部の端部と前記可動枠部の端部をそれぞれ接続して前記透明板の周囲を固定することを特徴とするジグソーパズル用額縁。
【請求項２】
前記固定枠部が前記基板の外周のうち対向する２辺に形成されることを特徴とする請求項１に記載のジグソーパズル用額縁。
【請求項３】
前記固定枠部が前記基板の外周のうち３辺に形成されることを特徴とする請求項１に記載のジグソーパズル用額縁。
【請求項４】
前記基板の外周のうち前記固定枠部が形成されない縁部には、該基板のおもて面から前方に向けて突出する保持枠が設けられていることを特徴とする請求項１乃至３のいずれかに記載のジグソーパズル用額縁。
【請求項５】
前記透明板の４辺の周縁にそれぞれ１以上の嵌込凸部が設けられており、前記固定枠部及び前記可動枠部には該透明板に設けられる嵌込凸部を係止させるための嵌込凹部が設けられていることを特徴とする請求項１乃至４のいずれかに記載のジグソーパズル用額縁。
【請求項６】
前記基板の裏面に前記引出し部を係止するための係止部材が設けられていることを特徴とする請求項１乃至５のいずれかに記載のジグソーパズル用額縁。
【請求項７】
前記引出し部が、仕切り板により２以上に仕切られることを特徴とする請求項１乃至６のいずれかに記載のジグソーパズル用額縁。
【請求項８】
前記固定枠部と前記可動枠部の端部が４５度の角度であることを特徴とする請求項１乃至７のいずれかに記載のジグソーパズル用額縁。
【請求項９】
前記基板が矩形状であることを特徴とする請求項１乃至８のいずれかに記載のジグソーパズル用額縁。
【請求項１０】
前記可動枠部が前記基板の短辺縁部を形成することを特徴とする請求項９に記載のジグソーパズル用額縁。
【発明の詳細な説明】
【技術分野】
【０００１】
本発明は、ジグソーパズル用額縁に関し、更に詳しくは、ジグソーパズルのピースなどの小物を収納することのできる収納ケースを備えた額縁に関する。
【背景技術】
【０００２】
ジグソーパズルは、各辺に凸部又は凹部のあるピースを相互に組み合わせて一枚の絵を完成するパズルである。このようなジグソーパズルは、１００ピース未満のものから１０００ピースを超える大型のものまであり、ピース数が多くなるほど難易度が高くなる。一般に、ピース数が少なく小さいサイズのものは何度も組み立てて遊ばれるが、大型のものは完成後に額に収めて観賞用にされることが多い。
【０００３】
従来、完成したジグソーパズルを収める額縁は、枠と、ジグソーパズルの裏側に置かれる台紙と、ジグソーパズルの表側に置かれる透明な保護板とがセットになっている。大型のジグソーパズルの作成は、台紙の上でピースを組み立てて絵柄を完成させ、その上に透明な保護板を載せて、その後、裏返しにした枠に保護板が下側になるように保護板と絵柄と台紙を一緒に裏返して嵌め込み、最後に枠の周囲に点在するクリップで台紙を固定するのが一般的である。
【０００４】
ジグソーパズルの額縁には、主に一般の絵画等を展示するための額縁が利用されるが、上述した方法でジグソーパズルを収めると、裏返すときに分解してしまうことがある。そこで、裏返すときに分解する恐れのあるジグソーパズルや複数の写真などを組み合わせて展示する場合に、展示物を裏返すことなく収めることのできる展示用パネルが提案されている（特許文献１参照）。
【特許文献１】特開平７−６７７５５号公報
【発明の開示】
【発明が解決しようとする課題】
【０００５】
ジグソーパズルはバラバラにされたピースを完成絵柄が蓋にプリントされた箱に詰められた状態で市販されており、遊戯者は箱にピースを取り出し、箱の蓋にプリントされた絵柄と照らし合わせながら完成させていく。ピースは絵柄に応じて様々に着色が施されているが、ジグソーパズルを完成させる工程で、予め色ごとにピースを分けておき、色ごとに組み合わせていく手法の遊戯者にとっては１つの箱ではピースの色分けがしにくいという問題があった。
また、ピースの数が多く大型のものになると完成までに日数がかかり、その間にジグソーパズルを保管しておくための場所をとるという問題があった。
【０００６】
本発明は、このような課題に着目してなされたものであって、ピースの選別が可能で、且つ作成途中のジグソーパズルの保管を小スペース化することができるジグソーパズル用額縁を提供することを目的としている。
【課題を解決するための手段】
【０００７】
本発明は、本体部と引出し部と透明板とで構成され、本体部は、ジグソーパズルを組み立てるための方形状の基板と該基板の外周のうち少なくとも１辺に一体形成される固定枠部とで形成され、引出し部は、基板の裏面に挿入配置される挿入板と、該挿入板の外周のうち１辺に設けられる可動枠部と、残りの辺に設けられる側板とにより上面を開口して一体形成され、透明板は、基板と略同大に形成され、前記固定枠部の端部と前記可動枠部の端部をそれぞれ接続して前記透明板の周囲を固定することを特徴とするジグソーパズル用額縁に関する。
尚、本体部の三方に各々引出し部を挿入する場合や、前記固定枠部を前記基板の外周のうち対向する２辺に形成し、他の対向する２辺から各々１個の引出し部を挿入する構成とする場合と、前記固定枠部を前記基板の外周のうち３辺に形成し、可動枠部を備えた１つの引出し部を挿入する構成とする場合などがある。
【０００８】
本発明において、前記基板の外周のうち前記固定枠部が形成されない縁部には、基板のおもて面から前方に向けて突出する保持枠が設けられていることが好ましい。
【０００９】
また、前記透明板の４辺の周縁にそれぞれ１以上の嵌込凸部を設け、前記固定枠部及び前記可動枠部には透明板に設けられる嵌込凸部を係止させるための嵌込凹部を設けることが好ましく、前記基板の裏面には前記引出し部を係止するための係止部材を設けることが好ましい。
【００１０】
本発明のジグソーパズル用額縁は、前記引出し部を仕切り板により２以上に仕切ることができる。また、前記固定枠部と前記可動枠部の端部は４５度の角度であることが好ましい。
【００１１】
更に、本発明のジグソーパズル用額縁は、基板が矩形状であることが好ましく、その場合、可動枠部が基板の短辺縁部を形成するように引出し部を作成することが好ましい。
【発明の効果】
【００１２】
本発明のジグソーパズル用額縁は、引出し部が額縁と一体となるように形成されているので作成途中のピース等の小物を引出し部に収納することができ、更に該引出し部の内部を複数に区分けした場合は、ピースを色ごとに選別するのに便利である。また、ピースの上に透明板を配置してピースを押さえることにより、基板上に作成中のパズルをピースを崩すことなく額に収めた状態で額縁を立てかけることができるため、保管の場所をとらずにすむ。  
【発明を実施するための最良の形態】
【００１３】
本発明のジグソーパズル用額縁の最良の形態は、図１に示すように、本体部１と、引出し部２と、透明板３とで構成される。
本体部１と引出し部２は、合成樹脂、木材、金属、ガラス、陶器など様々な素材で成形することができ、製作コストや実用性から考えて、合成樹脂や木材が好まれる。
【００１４】
本発明において、本体部１は、ジグソーパズルを組み立てるための基板１１と該基板１１の外周の対向する２辺に一体に形成される固定枠部１６とからなり、２個の引出し部２は、基板１１の裏面に挿入配置される挿入板２３と、該挿入板２３の外周のうち１辺に設けられる可動枠部２１と、残りの辺に設けられる側板２４とで上面開口の箱状体として一体形成されるものである。
【００１５】
そして、透明板３は、基板１１と略同大に形成され、各引出し部２の挿入板２３を本体部１の固定枠部１６の間に挿入するようにして本体部１の両側から引出し部２を挿入し、前記可動枠部２１の端部を前記固定枠部１６の端部にそれぞれ接続して、可動枠部２１と固定枠部１６で基板１１及び透明板３の周囲を囲うことにより透明板３を固定するジグソーパズル用額縁とするものである。
【実施例】
【００１６】
以下、本発明を図に示す１実施例に基づき詳細に説明するが、本発明は、実施例に限定されるものではない。
図１に示すように、本体部１は基板１１と固定枠部１６とで構成され、基板１１は方形状を成し、該基板１１の対向する２辺に固定枠部１６がそれぞれ一体形成されている。
【００１７】
固定枠部１６は、所定の幅と厚さを有する枠板であり、固定枠部１６の厚さは後述する引出し部２の側板２４より大きい厚みとし、基板１１が固定枠部１６の内壁１８の上端部から所定の高さ下がった位置で一体に形成されている。固定枠部１６の内壁１８のうち基板１１との接合部より上方、より詳しくは、基板１１の上面部からピース４の厚みをあけた内壁１８に、透明板３を嵌め込むための嵌込凹部１７が形成されている。
また、内壁１８の下端部には、該下端部から額の内側に向けて突出する、引出し部２を支持するための引出し部支持枠１９が一体に形成されている。
【００１８】
２つの固定枠部１６と接合していない基板１１の残りの２辺の縁部側面には、それぞれおもて面から前方に向けて突出する所定の高さの保持枠１２が設けられている。この保持枠１２の高さはピース４の厚さと略等しくしているものである。すなわち保持枠１２は、ピース４を保持するために設けられ、端部に位置するピースを保持枠に沿って並べてパズルを組み立てることでコーナー部からの組み立てが容易にでき、更に基板１１上からピースが落下するのを防ぐこともできる。保持枠１２は縁部側面の全体に設けられていても良いが、図１に示すように、複数の小枠片を縁部側面に等間隔で連続的に配置する構成とすることもできる。
【００１９】
基板１１の裏面には、引出し部２をスライドさせるための所定の高さの凸状ライン１３が設けられる。固定枠部１６が基板１１の対向する２辺に形成されている場合は、図２に示すように、凸状ライン１３は該固定枠部１６と略平行に設けられ、他の対向する２辺から挿入される引出し部２を支持する。凸状ライン１３は基板１１の大きさに合わせて適宜調整すれば良いが、１つの引出し部に対して１以上設けられればよい。
また、基板１１の裏面には、該裏面に挿入される引出し部２を係止するための係止部材１４が一体形成される。係止部材１４は、引出し部２が基板１１の裏面に挿入された状態で引出し部２の可動枠部２１と対向する側板２４を係止する位置に設けられ、引出し部２の挿入側に向かって下向傾斜した、断面が略直角三角形状を成す部材である。引出し部２を基板１１に挿入した際に、引出し部２の可動枠部２１と対向する側板２４の縁部が係止部材１４の傾斜部１４ａに沿って収容され、該可動枠部２１と対向する側板２４の縁部内壁が係止部材１４の係止部１４ｂに係止する。該係止部材１４の数は、基板１１の大きさに合わせて適宜調整されれば良いが、１つの引出し部に対して１つ以上設ければよい。
【００２０】
基板１１の裏面には、更に所定の厚さの支持板１５が設けられる。固定枠部１６が基板１１の対向する２辺に形成されている場合、図２に示すように、支持板１５は基板１１の裏面の略中央部に固定枠部１６方向に設けられる。これにより、基板１１に強度と安定感を与えることができる。
【００２１】
次に引出し部２について説明する。引出し部２は、図１に示すように、基板１１の裏面に挿入配置される挿入板２３と、該挿入板２３の外周のうち１辺に設けられる可動枠部２１と残りの辺に設けられる側板２４とで上面開口に箱状体に一体形成されて成るものである。
固定枠部１６が基板１１の対向する２辺に形成されている場合、図１に示すように、他の２辺から各々挿入される２つの引出し部２を備えた構成とする。
【００２２】
可動枠部２１は、固定枠部１６と同様の幅と厚みを有する枠板であり、挿入板２３は可動枠部２１の内壁の下端部近傍に設置され、挿入板２３の残りの３周辺に側板２４が設けられて、上面開口の箱状体を形成する。可動枠部２１の内壁の上方には所定の厚さの嵌込凹部２２が設けられており、嵌込凹部２２は前記した基板１１に設けられている保持枠１２及び透明板３を嵌め込むことができる幅と厚みとする。
また、図１及び図２に示すように、引出し部２の可動枠部２１と対向する位置に設けられる側板２４には、基板１１の裏面に設けられる凸状ライン１３と嵌め合い、引出し部２を基板１１の裏面へ導く導入凹部２５が設けられる。
【００２３】
本発明において引出し部２は、仕切りを設けて挿入板２３を区分けすることができる。例えば、図１に示すように仕切り板２６を１本用いると挿入板２３を２区分に分けることができ、仕切り板２６を２本用いて並行に並べて３区分に分けたり、クロスさせて４区分に分けたりすることができる。
本発明において、引出し部２の挿入板２３を複数に区分けすることにより、ピースを色ごとや端部など任意に選別して収納したり、糊や刷毛などの小物を収納したり、多岐にわたっての使用が可能となる。
【００２４】
最後に透明板３について説明する。透明板３は、ピース４の前面に配置され、ピース４を額縁に安定して収める目的で用いられ、絵柄を透視可能な透明な板を用いる。例えば、ＰＥＴ（ポリエチレンテレフタレート）樹脂やアクリル樹脂、塩化ビニル樹脂などのプラスチック、ガラス等の透明な板であれば任意で用いることができ、好ましくは落としても割れにくく、屈曲可能であることからＰＥＴ樹脂を用いる。
透明板３は、基板１１と略同大で、透明板３の４辺の周縁にはそれぞれ１以上の嵌込凸部が設けられる。例えば図１に示すように、固定枠部１６の嵌込凹部１７と嵌め合う嵌込凸部３１は透明板３の周縁部から僅かに突出した矩形状の凸部とし、可動枠部２１の嵌込凹部２２と嵌め合う嵌込凸部３２は外側に湾曲した凸部とする。このように透明板３に複数の嵌込凸部を設けることで額縁に透明板３を容易に固定することができる。
【００２５】
本発明において、固定枠部１６と可動枠部２１の端部は、引出し部２が基板１１の裏面に挿入され、端部どうしを接合したときに額縁が方形枠状となるようにそれぞれ４５度の角度で形成されていることが好ましい。端部を４５度の角度で形成することで、固定枠部１６と可動枠部２１の作成が容易で、且つ外的衝撃に強い構成とすることができる。
【００２６】
また、本発明のジグソーパズル用額縁は完成させるジグソーパズルの形状に合わせて適宜形成することができるが、ジグソーパズルは矩形形状の完成絵柄のものが一般的であるので、本発明のジグソーパズル用額縁も矩形形状とすることができる。額縁を矩形形状とする場合は、例えば、固定枠部１６を長辺縁部に配置し、可動枠部２１を短辺縁部に配置するような構成にすればよい。
【００２７】
次に、本発明のジグソーパズル用額縁を用いたジグソーパズルの作成方法の例を説明する。
まず、ピース４を引出し部２に取り出し、同系色のピースや端部のピースなど、所望に応じてピースの選別をする。図３に示すように、引出し部２の各々仕切られたスペースにピースを選別することにより、絵柄あわせをスムーズに行うことができる。
また、作成途中でジグソーパズルを保管しておくこともでき、基板１１上で組み合わされていないバラバラのピース４が引出し部２に収められた状態で、基板１１上の組み立て中のピースを透明板３で押さえるように挟み、固定枠部１６と可動枠部２１とで透明板３を固定する。この状態で額縁を立てかけた場合でも、基板１１と透明板３とで挟まれた作成途中のピース４は崩れることはなく、また、その他のピースも引出し部２に作成中の状態で保管されるので、紛失の恐れもなく、作業を再開するときに再びピースの色分けなどの選別をする必要がない。
【００２８】
そして、絵柄が完成したら、図１に示す透明板３の固定枠部１６側の嵌込凸部３１を固定枠部１６の嵌込凹部１７に導入口１７ａからスライドさせて挿入する。次に、引出し部２を挿入し透明板３の可動枠部２１側の嵌込凸部３２を可動枠部２１の嵌込凹部２２に嵌め込み、図４に示すように絵柄を額縁に収める。
このようにすることで、額を立てかけても中に収められたジグソーパズルがバラバラになることはない。
【００２９】
本発明のジグソーパズル用額縁は、上述した実施例の構成のほか、例えば、基板１１の外周のうちの１辺に固定枠部１６を一体形成して本体部を形成し、残りの３辺が可動枠部２１と嵌め合うように引出し部２を形成する構成にすることもできる。その場合、挿入板２３は基板１１と略同大となるように任意の形状に三分割し、各々の挿入板２３の１辺が可動枠部２１を備えるように引出し部２を形成する。
【００３０】
また、基板１１の外周のうち直交する２辺に固定枠部１６を一体形成して本体部を形成することができる。その場合、例えば、挿入板２３は基板１１を対角線で略二分割した形状とし、基板１１の周辺部分にあたる縁部に可動枠部２１を形成する構成とすることもできる。
【００３１】
更に、基板１１の外周のうち３辺に固定枠部１６を一体形成して本体部を形成することもでき、その場合、可動枠部２１を備えた１つの引出し部を形成して構成することができる。
【図面の簡単な説明】
【００３２】
【図１】本発明に係るジグソーパズル用額縁の１実施例を正面から見た分解斜視図。
【図２】図１のジグソーパズル用額縁を背面から見た分解斜視図。
【図３】本発明のジグソーパズル用額縁を用いてジグソーパズルを作成する図。
【図４】完成した絵柄を収めた本発明のジグソーパズル用額縁の正面斜視図。
【符号の説明】
【００３３】
１        本体部
２        引出し部
３        透明板
４        ピース
１１      基板
１２      保持枠
１３      凸状ライン
１４      係止部材
１４ａ    傾斜部
１４ｂ    係止部
１５      支持板
１６      固定枠部
１７      嵌込凹部
１７ａ    導入口
１８      内壁
１９      引出し部支持枠
２１      可動枠部
２２      嵌込凹部
２３      挿入板
２４      側板
２５      導入凹部
２６      仕切り板
３１，３２  嵌込凸部
【図１】
2007159743.tif 000003
【図２】
2007159743.tif 000004
【図３】
2007159743.tif 000005
【図４】
2007159743.tif 000006